(57)【特許請求の範囲】
【請求項１】
バルブの基部側に口金が設けられた幅広のランプを収容する器具本体と、この器具本体に取り付けられ前記口金が装着されるソケットと、前記器具本体の前記バルブに対向する取付面に略中央の取付部で取り付けられ一方側に開口すると共に両端に前記取付面との間に空間を備え前記バルブの先端側近傍を両側から挟持するように保持させるランプ保持部が設けられたランプ支持ばねとを有してなる照明器具であって、前記ランプ支持ばねの前記取付部とランプ保持部との間に、前記取付面との間に所定の隙間を有して前記取付面に略沿って設けられ、前記ランプ支持ばねに前記ランプを保持させる際に前記取付面と略垂直方向に弾性変形し、前記ランプ保持部側が前記取付面に当接するまで変形自在な連結片部を設けたことを特徴とする照明器具。
【請求項２】
前記ランプが、少なくとも４本の管状体を略同一平面上に平行に配設すると共に各管状体内の空間を連通させて１つの放電路を形成させてなることを特徴とする請求項１記載の照明器具。
【請求項３】
前記ランプ支持ばねの前記ランプ保持部側に対向する前記取付面に、前記ランプの装着時に弾性変形した前記連結片部の先端側が当接する当接部を、前記取付面から突出させて設けたことを特徴とする請求項１、または請求項２記載の照明器具。
【発明の詳細な説明】
【０００１】
【発明の属する技術分野】
本発明は、照明器具に関する。
【０００２】
【従来の技術】
図７及び図８は、従来の照明器具を示すもので、この照明器具は、器具本体１と、ランプ２、ソケット３、ランプ支持ばね４、及び反射板５とを備えて構成されている。
【０００３】
器具本体１は、一方側に開口した有底の略箱状をなし、内部には２本の幅広のランプ２が収容される収容空間を備えて構成されている。このランプ２は、４本の管状体２ａを略同一平面上に平行に配設すると共に、各管状体２ａ内の空間を連通させて１つの放電路を形成させてなるバルブ２ｂの一端側である基部側に口金２ｃを設けてなる片口金蛍光ランプ２ｄであり、また、ソケット３は、その片口金蛍光ランプ２ｄを装着させるもので、器具本体１の内部であって一方の側壁側近傍の底面である取付面１ａに、ランプ２の装着側が他方の側壁側に向くように取り付けられている。
【０００４】
ランプ支持ばね４は、器具本体１の取付面１ａの一方の側壁側に、１つのソケット３に対応して一対ずつ互いに対向して設けられてなり、器具本体１の取付面１ａに当接して取り付けられる取付部４ａと、取付部４ａの先端側に取付面１ａから略垂直方向に突出し、その先端側に器具本体１との間に空間を有して互いに外方に膨らむ略円弧状をなすように設けられ、ランプ２のバルブ２ｂである外側の管状体２ａを挟持するランプ保持部４ｂとにより構成されている。そして、この一対のランプ支持ばね４は、ランプ保持部４ｂの先端側で取付面１ａと反対側である一方側に開口し、その開口の幅寸法がバルブ２ｂの幅寸法よりも狭くなるように形成されており、ランプ支持ばね４を弾性変形させることによりランプ２が装着保持されるようにされている。
【０００５】
反射板５は、断面が略Ｖ字状をなし、２本のランプ２の間に位置するように器具本体１に取り付けられて、ランプ２からの光を器具本体１の開口側に反射させるように構成されている。
【０００６】
【発明が解決しようとする課題】
しかしながら、このように構成された従来の照明器具においては、一対のランプ支持ばね４にランプ２を保持させる際には、ランプ支持ばね４の開口側を外側に開くように弾性変形させる必要があるが、ランプ支持ばね４のランプ保持部４ｂが取付面１ａに当接した取付部４ａの略先端から形成されているため、弾性変形するのはランプ保持部４ｂのみとなり、その可動範囲を広くさせにくく、ランプ２の装着時に大きな操作力が必要となったりランプ支持ばね４が塑性変形してしまうおそれがあり、ランプ装着時の操作性が悪いという問題点があった。このため、このランプ支持ばね４では、ランプ保持部４ｂの開口側でランプ２のバルブ２ｂへのかかり代を大きくすることが困難であってランプ２の保持性能を向上させにくく、かかり代が小さい場合にはランプ２が外れ易くなるという問題点があった。
【０００７】
本発明は上記問題点に鑑みてなされもので、その目的とするところは、ランプ装着時の操作力を大きくすることなくランプ保持部の可動範囲を広くさせてランプ装着時の操作性を向上させると共に、ランプ支持ばねのかかり代を大きくしてランプの保持性能を向上させた照明器具を提供することにある。
【０００８】
【課題を解決するための手段】
本発明は上記の問題点を解決するため、請求項１記載の発明にあっては、バルブの基部側に口金が設けられた幅広のランプを収容する器具本体と、この器具本体に取り付けられ前記口金が装着されるソケットと、前記器具本体の前記バルブに対向する取付面に略中央の取付部で取り付けられ一方側に開口すると共に両端に前記取付面との間に空間を備え前記バルブの先端側近傍を両側から挟持するように保持させるランプ保持部が設けられたランプ支持ばねとを有してなる照明器具であって、前記ランプ支持ばねの前記取付部とランプ保持部との間に、前記取付面との間に所定の隙間を有して前記取付面に略沿って設けられ、前記ランプ支持ばねに前記ランプを保持させる際に前記取付面と略垂直方向に弾性変形し、前記ランプ保持部側が前記取付面に当接するまで変形自在な連結片部を設けたことを特徴とする。
【０００９】
請求項２記載の発明にあっては、請求項１記載の照明器具において、前記ランプが、少なくとも４本の管状体を略同一平面上に平行に配設すると共に各管状体内の空間を連通させて１つの放電路を形成させてなることを特徴とする。
【００１０】
請求項３記載の発明にあっては、請求項１、または請求項２記載の照明器具において、前記ランプ支持ばねの前記ランプ保持部側に対向する前記取付面に、前記ランプの装着時に弾性変形した前記連結片部の先端側が当接する当接部を、前記取付面から突出させて設けたことを特徴とする。
【００１１】
【発明の実施の形態】
図１及び図２は、本発明の照明器具の第１の実施の形態を示すものであり、この照明器具は、特に限定されるものではないが、天井埋込型の照明器具であって、器具本体１と、ランプ２、ソケット３、ランプ支持ばね４、及び反射板５とを備えて構成されている。
【００１２】
器具本体１は、一方側に開口した有底の略箱状をなし、内部に２本の幅広のランプ２が収容される収容空間を備えて構成されている。そして、天井６に設けられた埋込孔６ａに開口側を下方に向けて埋め込み取り付けされるようにされており、内部にはランプ２の点灯装置（図示せず）等が例えば下面側に露出しないように収容されている。
【００１３】
ランプ２は、４本の管状体２ａを略同一平面上に平行に配設すると共に、各管状体２ａ内の空間を連通させて１つの放電路を形成させてなるバルブ２ｂと、そのバルブ２ｂの一端側である基部側に設けられた口金２ｃとを備えてなる幅広の片口金蛍光ランプ２ｄであり、また、ソケット３は、この片口金蛍光ランプ２ｄを装着させるものであって、２つのソケット３が、器具本体１の内部であって一方の側壁側近傍の底面である取付面１ａに、ランプ２の装着側が他方の側壁側に向くように取り付けられている。
【００１４】
ランプ支持ばね４は、器具本体１の取付面１ａの一方の側壁側に、ソケット３に対応して１つ設けられてなるもので、ソケット３に装着されたランプ２のバルブ２ｂの先端側近傍を保持できるように構成されている。このランプ支持ばね４は、その略中央部に器具本体１の取付面１ａに当接して例えばねじにより取り付けられる略コ字状の取付部４ａを備え、この取付部４ａの両端である略コ字状の先端側に器具本体１の取付面１ａとの間に所定の隙間Ｄを有し取付面１ａと略平行をなすように連結片部４ｃを形成すると共に、連結片部４ｃの先端側を角部４ｄを形成するように取付面１ａと反対側に曲げて突出させ、その先端に外方に膨らむ略円弧状の形状をなし、取付面１ａとの間に弾性変形可能な空間を有するランプ保持部４ｂを設けて構成されている。そして、ランプ支持ばね４の開口側であるランプ保持部４ｂの先端側間の寸法が、ランプ２のバルブ２ｂの幅寸法よりも狭くなるようにされている。
【００１５】
反射板５は、断面が略Ｖ字状をなし、その略Ｖ字状をなす面のそれぞれをランプ２の側方に対向させて、２本のランプ２の間に位置するように器具本体１に取り付けられており、ランプ２からの光を器具本体１の開口側に反射させるように構成されている。
【００１６】
このように構成された照明器具にランプ２を装着させるには、まず、口金２ｃをソケット３に装着させたランプ２のバルブ２ｂを、図３及び図４に示すように、ランプ支持ばね４の開口側に合わせて取付面１ａと垂直方向に押込む。そして、これにより、まず、主として取付部４ａの両側に設けられた連結片部４ｃを、連結片部４ｃとランプ保持部４ｂが形成する角部４ｄが取付面１ａに当接するまで取付面１ａと垂直方向に弾性変形させ、ランプ支持ばね４の先端側の開口を広くするように開かせる（図４(a) ）。この状態でさらにランプ２を押込むと、次にはランプ保持部４ｂが、外方である横方向に弾性変形して開口を広くさせ（図４(b) ）、ランプ２のバルブ２ｂがランプ支持ばね４の開口側の最も狭い部分を通過して、その弾性によりランプ２がランプ支持ばね４のランプ保持部４ｂに保持される（図４(c) ）。
【００１７】
このように構成されているため、本実施の形態における照明器具においては、ランプ支持ばね４の取付部４ａの両側に取付面１ａと所定の隙間Ｄを有して弾性変形する連結片部４ｃが設けられ、その先端にランプ保持部４ｂが形成されているため、ランプ２の装着時にランプ装着時の操作力を大きくすることなくランプ保持部４ｂが弾性変形する可動範囲を大きくできて、ランプ２が装着し易くなってランプ装着時の操作性を向上させることができる。また、連結片部４ｃにより、ランプ支持ばね４の取付部４ａとランプ保持部４ｂとの間の距離が長くなり、その部分も弾性変形すると共に、ランプ２を押込んでいくと連結片部４ｃの先端側が取付面１ａに当接するため、ランプ支持ばね４が塑性変形するおそれを少なくできる。
【００１８】
また、連結片部４ｃによりランプ支持ばね４の取付部４ａとランプ保持部４ｂとの間の距離が長くなり、その部分も弾性変形するため、ランプ保持部４ｂのランプ２のバルブ２ｂへのかかり代を大きくとれると共に、ランプ２を外す方向に力が加わっても、ランプ２を保持するようにランプ保持部４ｂと連結片部４ｃの弾性が働き、ランプ２が不用意には外れにくくできて、ランプ２の保持性能を向上させることができる。
【００１９】
図５及び図６は、本発明の照明器具の第２の実施の形態を示すもので、前記第１の実施の形態と異なる点は、ランプ支持ばね４のランプ保持部４ｂを、連結片部４ｃの先端を取付面１ａと垂直方向に立ち上げることなく、連結片部４ｃの先端から略円弧状をなすように形成させた点と、連結片部４ｃの先端側と対向する器具本体１の取付面１ａに、取付面１ａと垂直方向に突出して、ランプ２の装着時に弾性変形する連結片部４ｃに当接する当接部１ｂを、連結片部４ｃとの間が所定の隙間Ｄを有するように設けた点であり、他は前記第１の実施の形態と同様に構成されている。つまり、この当接部１ｂは、ランプ支持ばね４の連結片部４ｃが大きく変形できる構造であれば、ランプ２が幅方向の一方側でのみランプ支持ばね４に保持された状態で保持されることも生ずるため、これを防止するように設けられたものである。
【００２０】
このように構成しても、前記第１の実施の形態と同様の効果を奏すると共に、器具本体１の取付面１ａに、連結片部４ｃと所定の隙間Ｄだけ離れて、弾性変形した連結片部４ｃの先端に当接する当接部１ｂを設けたため、ランプ支持ばね４をシンプルな形状とすることができる。
【００２１】
なお、前記各実施の形態においては、ランプ２を４本の管状体２ａを略同一平面上に並べるように形成するものを例示したが、本発明はこれに限らず、例えば６本、８本等の管状体を略同一平面上に並べるように形成されたランプであってもよい。また、前記各実施の形態においては、ランプ２を２本有する２灯用の照明器具を例示したが、本発明はこれに限らず、１灯用、３灯用等の何灯用の器具であってもよいことは勿論である。
【００２２】
【発明の効果】
このように構成されているため本発明は、請求項１、及び請求項２記載の発明にあっては、ランプ支持ばねの取付部の両側に取付面と所定の隙間を有して取付面に略沿って弾性変形する連結片部が設けられ、その先端にランプ保持部が形成されているため、ランプの装着時にランプ装着時の操作力を大きくすることなくランプ保持部が弾性変形する可動範囲を大きくできて、ランプが装着し易くなってランプ装着時の操作性を向上させることができる。また、連結片部により、ランプ支持ばねの取付部とランプ保持部との間の距離が長くなり、その部分も弾性変形すると共に、ランプを押込んでいくと連結片部の先端側が取付面に当接するため、ランプ支持ばねが塑性変形するおそれを少なくできる。
【００２３】
また、連結片部によりランプ支持ばねの取付部とランプ保持部との間の距離が長くなり、その部分も弾性変形するため、ランプ保持部のランプのバルブへのかかり代を大きくとれると共に、ランプを外す方向に力が加わっても、ランプを保持するようにランプ保持部と連結片部の弾性が働き、ランプが不用意には外れにくくできて、ランプの保持性能を向上させることができる。
【００２４】
請求項３記載の発明にあっては、請求項１、または請求項２記載の発明の効果に加えて、器具本体の取付面に、連結片部と所定の隙間だけ離れて、弾性変形した連結片部の先端に当接する当接部を設けたため、ランプ支持ばねをシンプルな形状とすることができる。
【図面の簡単な説明】
【図１】本発明の照明器具の第１の実施の形態を示す分解斜視図である。
【図２】同上の要部の斜視図である。
【図３】同上の要部の側面図であるである。
【図４】同上のランプの装着手順を示すもので、(a) は連結片部を取付面側に変形させた状態の側面図、(b) はランプ保持部を外方へ変形させた状態の側面図、(c) は装着完了状態の側面図である。
【図５】本発明の照明器具の第２の実施の形態の要部を示す側面図である。
【図６】同上のランプの装着手順を示すもので、(a) は連結片部を取付面側に変形させた状態の側面図、(b) はランプ保持部を外方へ変形させた状態の側面図、(c) は装着完了状態の側面図である。
【図７】従来の照明器具を示す分解斜視図である。
【図８】同上のランプの装着手順を示すもので、(a) は連結片部を取付面側に変形させた状態の側面図、(b) はランプ保持部を外方へ変形させた状態の側面図、(c) は装着完了状態の側面図である。
【符号の説明】
１      器具本体
１ａ    取付面
１ｂ    当接部
２      ランプ
２ｂ    バルブ
２ｃ    口金
２ｄ    管状体
３      ソケット
４      ランプ支持ばね
４ａ    取付部
４ｂ    ランプ保持部
４ｃ    連結片部
【図１】
0003804162.tif 000002
【図２】
0003804162.tif 000003
【図３】
0003804162.tif 000004
【図４】
0003804162.tif 000005
【図５】
0003804162.tif 000006
【図６】
0003804162.tif 000007
【図７】
0003804162.tif 000008
【図８】
0003804162.tif 000009